(57)【要約】【課題】一般家庭において室内空間を狭くすることがなく、しかも、段差やがたつきなどを生じさせることがない、電源ケーブルなどのケーブルを収納できるケーブル収納床構造を提供することを目的とする。【解決手段】床下地を形成する複数本の平行な根太３と、その根太３上に取り付けられる合板などの複数の床面形成部材１とを備えてなり、その根太３上に床面形成部材１をそれぞれ所定の隙間を設けて敷設し、床面形成部材１間の隙間に溝部５を形成できるようにする。そして、その溝部５に電源ケーブルや電話線、光ケーブルなどのケーブル６を収納し、その後、蓋部２によってその溝部５を覆うようにする。【選択図】図１
2007231534.tif 000002
【特許請求の範囲】
【請求項１】
床の表面下方にケーブルを収納するケーブル収納床構造において、
根太やコンクリートなどによって形成された平面状の床下地と、当該床下地上に敷設される板状の床面形成部材とを備え、当該床面形成部材の裏面と床下地の表面との間を密着させて床面形成部材を敷設するとともに、隣接する床面形成部材との間に隙間を形成して、当該隙間によって形成された溝部にケーブルを収納するようにしたことを特徴とするケーブル収納床構造。
【請求項２】
前記溝部に、床下地から立脚するコの字状の蓋部を設けるようにした請求項１に記載のケーブル収納床構造。
【請求項３】
前記溝部にケーブルを下から受けるケーブル受け部材を設け、当該ケーブル受け部材にケーブルを収納させるようにした請求項１に記載のケーブル収納床構造。
【請求項４】
前記溝部に、各ケーブルを仕切る長手方向に沿った仕切り板を設け、当該仕切り板によって前記蓋部を支持させるようにした請求項１に記載のケーブル収納床構造。
【発明の詳細な説明】
【技術分野】
【０００１】
本発明は、電源ケーブルや電話線、光ケーブルなどのケーブルを収納するためのケーブル収納床構造に関するものである。
【背景技術】
【０００２】
従来より、オフィスビルなどにおいては、床面にケーブルを収納させるようにした二重床構造が知られている。例えば、下記の特許文献１には、図７に示すように、オフィスのコンクリート床面２２上に複数の正方形状の床パネル２３を敷設し、その床パネル２３の下方空間にケーブルを収納できるようにした構造が明示されている。この構造は正方形状をなす床パネル２３の裏面側の四隅および中央部分に脚２５を立設させるとともに、隣接する床パネル２３との間に所定の隙間を設け、床パネル２３の下方空間や、溝部５と蓋部２４との隙間にケーブルを収納できるようにしたものである。
【特許文献１】特開平１０−２１２８１６号公報
【発明の開示】
【発明が解決しようとする課題】
【０００３】
しかしながら、このような二重床構造によってケーブルを収納する構造においては、床パネルに脚を立設させる構造であるため、次のような問題を有する。すなわち、（１）コンクリートなどの床面上に脚を立設させるだけの構造であると、コンクリート面の不陸によって床パネルにがたつきを生じ、歩行時に異音を生ずる可能性がある。（２）また、床パネルにより形成された床面から天井までの距離がその脚によって短くなり、例えば、ぎりぎりの高さに設定された家具を配置する場合には、その家具を収納することができなくなる。（３）さらに、床パネルを配置した空間（例えば、パソコンルームなど）と、床パネルを配置しない空間（例えば、廊下など）との間に段差を生じてしまい、この段差を解消するためのスロープなどを設けなければならない。一般に、オフィスビルなどにおいては、このような不陸による異音や、室内空間の狭小化、あるいは、廊下などとの段差が存在しても問題はないが、木造建築などの一般家庭においては、このような問題は受け入れ難いものとなっている。
【０００４】
そこで、本発明は上記課題を解決するために、一般家庭などにおいて室内空間を狭くすることがなく、しかも、段差やがたつきなどを生じさせることもないケーブル収納床構造を提供することを目的とする
【課題を解決するための手段】
【０００５】
すなわち、本発明は上記課題を解決するために、床の表面下方にケーブルを収納するケーブル収納床構造において、根太やコンクリートなどによって形成された平面状の床下地と、当該床下地上に敷設される板状の床面形成部材とを備え、当該床面形成部材の裏面と床下地の表面との間を密着させて床面形成部材を敷設するとともに、隣接する床面形成部材との間に隙間を形成して、当該隙間で形成された溝部にケーブルを収納するようにしたものである。
【０００６】
このように構成すれば、床下地上に複数の床面形成部材を所定の隙間を設けて敷設するため、その隙間によって形成された溝部にケーブルを収納することができ、従来のような床の持ち上げによる室内空間の狭小化を招くようなこともなくなる。また、床下地に対して面接触で床面形成部材を取り付けるため、上面からの大きな荷重に耐えることができ、しかも、不陸による異音の発生なども生ずることもなくなる。さらに、床面形成部材の裏面に脚を立設させる必要もないため、廊下などとの間で段差を生ずるようなこともなくなる。
【０００７】
また、このような発明において、隙間によって形成された溝部に、床下地から立脚するコの字状の蓋部を設けるようにする。
【０００８】
このように構成すれば、蓋部を設けた場合であっても、その蓋部を床下地から直接立脚させているため、上面からの大きな荷重に耐えることができ、しかも、その蓋部で床面形成部材と蓋部によって形成される床面を平面状に保つことができるようになる。
【０００９】
さらに、別の発明では、隙間によって形成された溝部に、例えば、上向きコの字状のケーブル受け部材を設け、そのケーブル受け部材にケーブルを収納するようにする。
【００１０】
このように構成すれば、例えば、根太などの床下地上に床面形成部材を打ち付ける際、あらかじめケーブル受け部材によって各床面形成部材間の隙間幅を調整した後、床面形成部材を床下地に打ち付けることができ、床面形成部材がずれて蓋部が取り付けられなくなるといった不具合を防止することができる。
【００１１】
加えて、このようなケーブル受け部材に、各ケーブルを仕切る長手方向に沿った仕切り板を設け、当該仕切り板によって蓋部を支持させるようにする。
【００１２】
このようにすれば、仕切り板によって各ケーブルを効率的に収納することができ、また、その仕切り板によって蓋部を支持することができるため、蓋部上に大きな荷重が作用した場合であっても、仕切り板によってその荷重を支えることができるようになる。
【発明の効果】
【００１３】
本発明によれば、床の表面下方にケーブルを収納するケーブル収納床構造において、根太やコンクリートなどによって形成された平面状の床下地と、当該床下地上に敷設される板状の床面形成部材とを備え、当該床面形成部材の裏面と床下地の表面との間を密着させるように床面形成部材を敷設するとともに、隣接する床面形成部材との間に隙間を形成して、当該隙間によって形成された溝部にケーブルを収納するようにしたので、その隙間によって形成された溝部にケーブルを収納でき、従来のような、床の持ち上げによる室内空間の狭小化を招くようなこともなくなる。また、床下地に対して面接触で床面形成部材と取り付けられるため、大きな荷重に耐えることができ、しかも、不陸による異音の発生なども生ずることもなくなる。さらに、床面形成部材の裏面に脚を立設させる必要もないため、廊下などとの間で段差を生ずるようなこともなくなる。
【発明を実施するための最良の形態】
【００１４】
以下、本発明の一実施形態について図面を参照して説明する。図１は、本発明のケーブル収納床構造を示す斜視図である。図２は、溝部５の底面が根太３により構成された溝部５を示した図であって、図１におけるA−A線に沿う断面図を正面から見た図である。図３は、壁面１３と床面形成部材１の隙間によって形成された溝部５を示した図であって、図１におけるA−A線に沿う断面図を正面から見た図である。図４は、溝部５にケーブル受け部材１１を設けた図であり、図１におけるB−B線に沿う断面図を正面から見た図である。図５は、溝部５において仕切り板１２を用いた溝部５近傍の拡大図である。
【００１５】
この実施の形態におけるケーブル収納床構造は、木造建築などで用いられる床構造に関するもので、床下地を形成する複数本の平行な根太３と、その根太３上に取り付けられる合板などの複数の床面形成部材１とを備えてなり、根太３の上に床面形成部材１をそれぞれ所定の隙間を設けて釘打ちし、床面形成部材１間の隙間に溝部５を形成できるようにしたものである。そして、その溝部５に電源ケーブルや電話線、光ケーブルなどのケーブル６を収納し、その後、蓋部２、２０によってその溝部５を覆うようにしたものである。以下、本実施の形態におけるケーブル収納床構造について詳細に説明する。
【００１６】
まず、床下地は、最終的に室内空間側に設けられる床面形成部材１を取り付けるための部材である。図１に示すように木造建築における直張工法の場合は、比較的太目の角柱である大引き４の上に比較的細目の根太３と称される角柱を直角に打ち付けて床下地が構成される。また、図に示さない捨張工法の場合は、根太の上に捨て張り合板を打ち付けて床下地が構成される。一方、鉄骨や鉄筋住宅におけるコンクリート面に直接床面形成部材を敷設する場合は、コンクリート面が床下地となる。さらに、コンクリート面上に大引きや根太などを設ける場合は、木造建築の場合と同様に、その根太や捨て張り合板などが床下地となる。
【００１７】
床面形成部材１は、一般にコンパネと称される合板などの平面状の板材で構成されるもので、その上面に薄いフローリング材やカーペットなどが敷設されるものである。この床面形成部材１は根太３の上に複数枚敷設され、しかも、その際、図２に示すように隣接する床面形成部材１との間に隙間を形成するか、もしくは、図３に示すように、壁面１３との間に隙間を形成するように敷設される。そして、これらの床面形成部材１との間に形成された隙間や、壁面１３の下部と床面形成部材１との間に形成された隙間によって溝部５を形成するようにしている。なお、ここでこの溝部５は、隣接する床面形成部材１の対向する側面と、床下地の上面との間で囲まれた領域を示す。
【００１８】
そして、このように形成された溝部５に、電源ケーブルや電話線などのケーブル６が収納される。そして、蓋部２によってその開口部分が封止される。この蓋部２は、下向きに開口する逆コの字状の部材や、単なる板状の部材２０によって形成されるものであり、木材やゴムなどの樹脂によって構成される。そして、床面形成部材１間の隙間によって形成された溝部５の開口部分を覆い、蓋部２の上面部７で床面形成部材１の表面と同一平面を形成できるようにしている。この蓋部２は、溝部５から接着材や釘などによって取り外しできないように構成してもよく、あるいは、自由に取り外しできるようにしてもよい。
【００１９】
なお、この蓋部２で床面形成部材１間の隙間によって形成された溝部５を覆うようにすると、床面形成部材１の配置ミスによって隙間の幅が均一でなくなった場合、既製品として成型された大きさの蓋部２を取り付けることができなくなる。このような不具合を防止するためには、床面形成部材１間の隙間を厳密に測って根太３に釘打ちするなどの作業をすれば良いが、このようにすると、作業に時間がかかるという問題を生じる。そこで、本実施の形態では、床面形成部材１の配置や打ち付けに時間を要しないように、それぞれの隙間にあらかじめ隙間幅を既定したケーブル受け部材１１を設けるようにしている。
【００２０】
このケーブル受け部材１１は、高さ寸法が床面形成部材１より若干低めに設定されており、しかも、内側にケーブル６を収納できるように細長いコの字状に構成される。このケーブル受け部材１１は、プラスチックなどの樹脂や金属などによってコの字状に形成してもよく、あるいは、単に隙間幅を既定するだけであれば、コの字状ではなく、薄い角材などによって構成するようにしてもよい。
【００２１】
また、この実施の形態では、図５に示すように、コの字状をなすケーブル受け部材１１の隙間内にケーブル６を順次収納するために、仕切り板１２を設けるようにしている。
【００２２】
この仕切り板１２は、ケーブル受け部材１１を成型する際に一体的に成型され、各溝に一本のケーブル６を収納できるようにしている。この仕切り板１２は、ケーブル受け部材１１の底面側から起立するように形成され、しかも、その上面部分で蓋部２を支持できるように形成される。
【００２３】
この蓋部２は、上述したように下向きに開口する逆コの字状の部材や、単なる板状の部材２０によって形成されるものであり、木材やゴムなどの樹脂によって構成される。また、溝部５にケーブル受け部材１１を設ける場合、図６に示すように仕切り板１２の上端と蓋部２の下面の接触する部分に下向きくぼみ１５を設けて構成するようにしてもよい。このようにすれば、蓋部２がずれることがなくなるというメリットがある。そして、床面形成部材１との隙間とケーブル受け部材１１によって形成された溝部５の開口部分を覆って、蓋部２の上面部７で床面形成部材１の表面と同一平面を形成できるようにしている。この蓋部２は、溝部５から接着材や釘などによって取り外すことができないように構成してもよく、あるいは、自由に取り外しできるようにしてもよい。
【００２４】
上述のように本実施の形態では、床下地を形成する複数本の平行な根太３と、その根太３上に取り付けられる合板などの複数の床面形成部材１とを備えてなり、その根太３上にそれぞれ床面形成部材１を所定の隙間を設けて敷設し、床面形成部材１間の隙間に溝部５を形成できるようにする。そして、その溝部５に電源ケーブルや電話線、光ケーブルなどのケーブル６を収納し、その後、蓋部２によってその溝部５を覆うようにしたので、床の表面より下方にケーブル６を収納することができる。また、部屋を狭くすることがなく、しかも、段差やがたつきなどを生じさせることをなくすことができる。
【００２５】
また、図２に示すように、蓋部２を下向きに開口する逆コの字状の部材で形成するとともに、その立脚部８を根太３から立脚させるようにしたので、大きな荷重にも耐えることができるようになる。
【００２６】
さらに、図４に示すように床面形成部材１間の隙間によって形成される溝部５に、床面形成部材１の高さよりも若干小さめに設定された上向きコの字状のケーブル受け部材１１を設けたので、根太３上に床面形成部材１を打ち付ける際、床面形成部材１がずれる不具合を防止することができる。
【００２７】
加えて、図５に示すようにケーブル受け部材１１に各ケーブル６を仕切る長手方向の仕切り板１２を設け、蓋部２を単なる板状の部材によって形成し、蓋部２をケーブル受け部材１１の立脚部８の上面と仕切り板１２の上面部分で支持させるようにしたので、各ケーブル６を効率的に収納することができる。また、蓋部２を仕切り板１２の上面が支えるため、この蓋部２は大きな荷重にも耐えることができる。
【００２８】
なお、本発明は上記実施の形態に限定されることなく、種々の態様で実施できる。
【００２９】
例えば、上記の実施形態では、木造建築に用いられる床構造について説明したが、木造建築に用いられる床構造に限らず、鉄骨や鉄筋住宅に用いられる床構造にも適用することができる。
【００３０】
また、上記の実施形態では、蓋部２が溝部５を覆うように構成したが、この蓋部がない状態であってもよい。
【００３１】
また、上記の実施形態では、隣接する床面形成部材１の隙間によって溝部５を形成するようにしたが、床面形成部材１を溝状に切り欠くことによって溝部を形成することもできる。
【００３２】
また、上記の実施形態では、図２の実施形態と図４の実施形態とを区別して説明したが、図２の実施形態と図４の実施形態を併合したケーブル収納床構造とすることもできる。
【図面の簡単な説明】
【００３３】
【図１】木造建築における本発明のケーブル収納床構造を示す斜視図
【図２】本発明の第一実施形態における床面形成部材の隙間によって形成された溝部の図１のA−A線に沿う断面図
【図３】本発明の第一実施形態における壁面と床面形成部材の隙間によって形成された溝部の図１のA−A線に沿う断面図
【図４】本発明の第二実施形態における図１のB−B線に沿う断面図
【図５】本発明の第三実施形態における溝部近傍の拡大図
【図６】本発明の第三実施形態における蓋部の下面にくぼみを設けた溝部近傍の拡大図
【図７】従来における二重床構造を示す斜視図
【符号の説明】
【００３４】
１・・・床面形成部材
２、２０・・・蓋部
３・・・根太
４・・・大引き
５・・・溝部
６・・・ケーブル
７・・・上面部
８・・・立脚部
１１・・・ケーブル受け部材
１２・・・仕切り板
１３・・・壁面
２２・・・コンクリート床面
２３・・・床パネル
２４・・・溝蓋
２５・・・脚
【図１】
2007231534.tif 000003
【図２】
2007231534.tif 000004
【図３】
2007231534.tif 000005
【図４】
2007231534.tif 000006
【図５】
2007231534.tif 000007
【図６】
2007231534.tif 000008
【図７】
2007231534.tif 000009